(57)【特許請求の範囲】
【請求項１】
下面にキャスターを取付け、後側辺部に手押し用のアームを取付け、チャンネル状の左右側辺部をレールとして備えると共に、各レールの先端に設定長の延長レールをヒンジで各レール上に折畳み自在に備え、各延長レールの下面に荷重支柱を備えて台車を設け、
前面開放のコ形に形成した架わくの左右側面の下わくに車輪を取付けて移動架わくを設け、該移動架わく後面の上わくにウインチボックスを備え、該ウインチボックスの左右に突出した軸端にギヤ、ホイール等の駆動輪を備えると共に、左右側面の上わくの内側にスプロケット、プーリー等のガイド輪を備え、上記駆動輪とガイド輪にチェーン、歯付ベルト等の駆動帯を掛け回して、該駆動帯の一方端をガイド輪から垂下し、その先端に流水機、座席、車椅子等の被懸垂物を懸垂支持するフック、チャック等の懸垂手段を備えると共に、他方端を駆動輪から設定長垂下して、ウインチボックス、駆動輪、ガイド輪、及び駆動帯で被懸垂物昇降用のリフトを形成して、リフト付移動架わくを設け
該リフト付移動架わくの車輪を上記台車のレールに転動自在に挿置して、リフト付移動式架わくをレール及び延長レール上を移動自在に備えて設けた、リフト付運搬台車であり、
該リフト付運搬台車のリフト付移動架わくのリフトの懸垂手段に被懸垂物を懸垂支持して、リフト付運搬台車をプールサイド等の目的位置へ移動したのち、左右延長レールを回動展開し荷重支柱で支持してレールを延設し、
リフト付移動架わくを前方へ押しその車輪の転動でレール上から延長レール上、即ちプール、浴槽等の水面上等の目的設置へ移動停止し、リフトのウインチボックスを手回しハンドルによる手動で、若しくは原動機の運転で駆動輪を回転駆動し、駆動帯を前進送りして被懸垂物をプールの水中等へ下降移動し、また、後退送りして被懸垂物を上昇移動操作するように備えたことを特徴とする、
リフト付運搬台車。
【請求項２】
ウインチボックスは手回しハンドルの回転で駆動輪を回転駆動する手動式、またはモーター等の原動機で駆動輪を回転駆動する自動式である、
請求項１のリフト付運搬台車。
【請求項３】
駆動帯はチェーン、ボールチェーン、歯付ベルト、ベルト、ワイヤーロープ等であり、駆動輪及びガイド輪は駆動帯の駆動送り及びガイド送りに適したものであればスプロケット、プーリ、その他適宜である、
請求項１のリフト付運搬台車。
【請求項４】
被懸垂物は、水泳プール、リハビリ等用浴槽、その他の水中に設置して各種の水流を起こす水流機、要介護者、病人等をのせる椅子等、車椅子、その他、台車及びリフト付移動架わくによる運搬、移動、懸垂昇降移動するのに適したものであれば任意である、
請求項１のリフト付運搬台車。
【発明の詳細な説明】
【０００１】
【産業上の利用分野】
本発明は、介護用設備として最適なリフト付運搬台車に係り、手押し移動自在な台車に備えたレール及び延長レール上に、流水機、要介護者、病人等をのせる座席、ベット等、車椅子などを手動、電動等で極めて軽快に昇降移動操作できるリフトを備えたリフト式移動架わくを前進後退移動自在に備えて設けた、リフト付運搬台車を提供するものである。
【０００２】
【従来の課題】
従来、例えば、水泳プール、リハビリ等用浴槽、その他の水中に各種の水流を発生する水流機等の設備を運搬設置する場合や、近時、特に、老人等の要介護者や病人等（以下、要介護者と記す）を入浴、リハビリ入浴、水浴、水泳等（以下、入浴等と記す）させる場合や、車椅子やベット等にのせたままで入浴等をさせる場合に、安全で簡単、容易にプールサイド等の目的場所に運搬、移動して容易に入浴等をさせることができる有効な手段が提供されていないことが大きな課題となっている。
【０００３】
そして、従来は、要介護者を入浴等させる場合、大型で重量も大な回動ブーム付のリフト装置を浴槽サイド等の目的場所に据え付け（通常、一旦据付けると、大掛かりな移動手段、多数の専門人員を要するため、容易に移動できない場合が多い。）、回動ブームのウインチに吊下げたリフトに要介護者をのせて、浴槽サイド等から水面上等へ回動移動し、リフトを昇降操作して要介護者の入浴等を行うものであるため、該装置の運搬、据付け、操作等（いずれも複数人を要する）が極めて大掛かりとなり、また価格も極めて高価となって、何処でも簡単、手軽にはいかない課題があった。
【０００４】
【発明が解決した課題】
そこで、本発明は従来の大掛かりな装置に代えて、格段に小形、軽量で、操作も簡単であり、何よりも格段に安価に提供できる手段として、手押し移動自在な台車に備えたレール及び延長レール上に、流水機、要介護者等を極めて軽快に前後移動及び昇降移動操作して、入浴等を安全かつ容易に行えるように備えたリフト付移動架わくを載置して設けた、リフト付運搬台車を提供して、上記従来の課題を有効に解決したものである。
【０００５】
【課題を解決する手段】
即ち本発明は、下面にキャスターを取付け、後側辺部に手押し用のアームを取付け、チャンネル状の左右側辺部をレールとして備えると共に、各レールの先端に設定長の延長レールをヒンジで各レール上に折畳み自在に備え、各延長レールの下面に荷重支柱を備えて台車を設け、
【０００６】
前面開放のコ形に形成した架わくの左右側面の下わくに車輪を取付けて移動架わくを設け、該移動架わく後面の上わくにウインチボックスを備え、該ウインチボックスの左右に突出した軸端にギヤ、ホイール等の駆動輪を備えると共に、左右側面の上わくの内側にスプロケット、プーリー等のガイド輪を備え、上記駆動輪とガイド輪にチェーン、歯付ベルト等の駆動帯を掛け回して、該駆動帯の一方端をガイド輪から垂下し、その先端に流水機、座席、車椅子等の被懸垂物を懸垂支持するフック、チャック等の懸垂手段を備えると共に、他方端を駆動輪から設定長垂下して、ウインチボックス、駆動輪、ガイド輪、及び駆動帯で被懸垂物昇降用のリフトを形成して、リフト付移動架わくを設け
【０００７】
該リフト付移動架わくの車輪を上記台車のレールに転動自在に挿置して、リフト付移動式架わくをレール及び延長レール上を移動自在に備えて設けた、リフト付運搬台車であり、
【０００８】
該リフト付運搬台車のリフト付移動架わくのリフトの懸垂手段に被懸垂物を懸垂支持して、リフト付運搬台車をプールサイド等の目的位置へ移動したのち、左右延長レールを回動展開し荷重支柱で支持してレールを延設し、
【０００９】
リフト付移動架わくを前方へ押しその車輪の転動でレール上から延長レール上、即ちプール、浴槽等の水面上等の目的設置へ移動停止し、リフトのウインチボックスを手回しハンドルによる手動で、若しくは原動機の運転で駆動輪を回転駆動し、駆動帯を前進送りして被懸垂物をプールの水中等へ下降移動し、また、後退送りして被懸垂物を上昇移動操作するように備えたことを特徴とする、リフト付運搬台車によって課題を解決したものである。
【００１０】
【実施例】
次に、本発明の実施例に付き説明する。(図1〜図4参照)
下面にキャスター３を取付け、後側辺部に手押し用のアーム４を取付け、チャンネル状の左右側辺部をレール５として備えると共に、各レールの先端に設定長の延長レール６をヒンジ７で各レール５上に折畳み自在に備え、各延長レール６の下面に荷重支柱８を備えて台車２を設け、
【００１１】
前面開放のコ形に形成した架わく９の左右側面の下わくに各２個の車輪１０を取付けて移動架わくを設け、該移動架わく後面の上わくにウインチボックス１１を備え、該ウインチボックス１１の左右に突出した軸１２端にギヤ、ホイール等の駆動輪１３を備えると共に、左右側面の上わくの内側にスプロケット、プーリー等のガイド輪１４を備え、上記駆動輪１３とガイド輪１４にチェーン、歯付ベルト等の駆動帯１６を掛け回して、該駆動帯１５の一方端をガイド輪１４から垂下し、その先端に流水機、座席、車椅子等の被懸垂物１６を懸垂支持するフック、チャック等の懸垂手段１７を備えると共に、他方端を駆動輪１３から設定長垂下して、ウインチボックス１１、駆動輪１３、ガイド輪１４、及び駆動帯１５で被懸垂物１６昇降用のリフト１８を形成して、リフト付移動架わく１ａを設け
【００１２】
該リフト付移動架わく１ａの車輪１０を上記台車２のレール５に転動自在に挿置して、リフト付移動式架わく１ａをレール５及び延長レール６上を移動自在に備えて設けた、リフト付運搬台車１であり、
【００１３】
該リフト付運搬台車１のリフト付移動架わく１ａのリフト１８の懸垂手段１７に被懸垂物１６を懸垂支持して、リフト付運搬台車１をプールサイド等の目的位置へ移動したのち、左右延長レール６を回動展開し荷重支柱８で支持してレールを延設し、
【００１４】
リフト付移動架わく１ａを前方へ押しその車輪１０の転動でレール５上から延長レール６上、即ちプール、浴槽等１９の水面上等の目的設置へ移動停止し、リフト１８のウインチボックス１１を手回しハンドル２０による手動で、若しくは原動機の運転で左右の駆動輪１３を回転駆動し、駆動帯１５を前進送りして被懸垂物１６をプールの水中等へ下降移動し、また、後退送りして被懸垂物１６を上昇移動操作するように備えた、リフト付運搬台車１である。
【００１５】
本発明において、ウインチボックスは、手回しハンドルの回転で駆動輪を回転駆動する手動式、またはモーター等の原動機で駆動輪を回転駆動する自動式である。
【００１６】
駆動帯はチェーン、ボールチェーン、歯付ベルト、ベルト、ワイヤーロープ等であり、駆動輪及びガイド輪は駆動帯の駆動送り及びガイド送りに適したものであればスプロケット、プーリ、その他適宜である。
【００１７】
被懸垂物は、水泳プール、リハビリ等用浴槽、その他の水中に設置して各種の水流を起こす水流機、要介護者、病人等をのせる椅子等、車椅子、その他、台車及びリフト付移動架わくによる運搬、移動、懸垂昇降移動するのに適したもの(物、人等)であれば任意である。
【００１８】
【作用】
本発明リフト付運搬台車のリフト付移動架わく１ａのリフト１８の駆動帯１５の一方端に備えた懸垂手段１７に流水機、座席（要介護者をのせた）、車椅子（同）等の被懸垂物１６を懸垂支持し、該リフト付運搬台車１を目的場所、例えばプールサイド等まで手押し移動停止（キャスター３のブレーキ等で停止）したのち、台車２の左右延長レール６を展開してプール、浴槽等１９の水面上等に延設し、また、左右延長レール６を荷重支柱８のアジャスターで水平調整し、
【００１９】
リフト付移動架わく１ａのリフト１８を上昇運転して被懸垂物１６を僅かに浮上した状態で、該リフト付移動架わく１ａを前方へ押してレール５上から延長レール６上（例、ストッパーに衝突停止する位置まで）を移動して、リフト付移動架わく１ａ、即ち、それに懸垂支持した被懸垂物１６を水面上等に位置せしめ、
【００２０】
次で、リフト１８を下降運転（ウインチ運転、駆動輪１３、ガイド輪１４を経て駆動帯１５を前方送り）して、被懸垂物１６を水中に浸す。
【００２１】
被懸垂物１６の回収は、リフト１８を上昇運転（駆動帯１５を後方戻し送り）して、被懸垂物１６をリフト付移動架わく１ａの原位置まで上昇復元移動し、該リフト付移動架わく１ａを延長レール６上からレール５上（例、ストッパーに衝突停止する位置まで）へ復元移動し、被懸垂物１６を僅かに下降して台車上に下ろし、延長レール６を折畳んだのち、リフト付運搬台車１を手押し移動して原位置等へ戻るものである。
【００２２】
【効果】
流水機、座席（要介護者をのせた）、車椅子（同）、その他の被懸垂物（物、人等）を懸垂支持すると共にリフトのウインチの作用で手動（ハンドル回転）で女性、子供でも容易に下降、上昇移動できるように備えたリフト付移動架わくを、手押しで目的場所へ容易に移動できる台車のレール上に設置して、水泳プール、リハビリ等用浴槽等のサイド等に何人でも簡単に移動停止（設置）することができ、また、従来装置に比し、格段に構造簡易、小形、軽量に構成でき、格段に安価に提供できる優れた特長がある。
【００２３】
台車のレールに折畳み式の延長レールを備えてレールを延設し、該レール上をリフト付移動架わくを前方の目的位置、例えばプール、浴槽等の水面上まで、簡単、安全に移動することができ、その位置でリフトの作用で被懸垂物（物、人等）を例えば水中に下降移動し、また上昇復帰することを、例えば手動（女性、子供でも容易な位軽いハンドル回転）で容易にできる。
【００２４】
上記の延長レール上に重量の大なリフト付移動架わく（被懸垂物共）を移動したとき、延長レールの下面に備えた荷重支柱が荷重の支点となり、該支点の前方の距離が後方の距離の１／２以下に短いため、台車等の重量でリフト付移動架わくの重量を安全に支持することができ、バランス錘が不要若しくは小重量で済み、よって、リフト付運搬台車全体の重量を小にできる利点がある。
【００２５】
リフトのウインチボックスの運転で駆動輪を回転駆動して被懸垂物の昇降操作を行うようにしたので、小さな力で容易に駆動輪を回転することができ、よって、ハンドルの回転による手動の場合、例えば女性、子供でも容易な程度の力で操作できる。よって、電動式にした場合は小馬力の小型モーターで足りる。
【００２６】
リフト付移動架わくを目的位置まで移動するに要する延長レールを、不使用時はレール上に折畳み収納できるようにしたので、リフト付運搬台車の収納保管時に邪魔にならない。
【００２７】
本発明リフト付運搬台車は、上記の流水機の運搬設置、要介護者等の移動、入浴等の他、比較的重量のある被懸垂物（物、人等）（例、重量１００〜２００ｋｇ位）の運搬、移動、据付け、取外し、その他の作業用に汎用し得るものである。
【図面の簡単な説明】
【図１】本発明の実施例の正面図。
【図２】平面図。
【図３】右側面図。
【図４】台車の延長レールの展開，折り畳みの説明図。
【符号の説明】
１    リフト付運搬台車
１ａ  リフト付移動架わく
２    台車
３    キャスター
４    アーム
５    レール
６    延長レール
７    ヒンジ
８    荷重支柱
９    架わく
１０  車輪
１１  ウインチボックス
１２  軸
１３  駆動輪
１４  ガイド輪
１５  駆動帯
１６  被懸垂物
１７  懸垂手段
１８  リフト
１９  プール、浴槽等
２０  ハンドル
【図１】
0004618528.tif 000002
【図２】
0004618528.tif 000003
【図３】
0004618528.tif 000004
【図４】
0004618528.tif 000005